(57)【要約】      （修正有）【課題】外部から吸い込んだ空気を効率よく加熱することのできるサーキュレータを提供する。【解決手段】サーキュレータ１は、前後方向に延在する回転軸３１と、吸気口２１５と送風口２１６とを含む羽根筐体２１と、回転軸３１に固定された複数の羽根であって、羽根筐体２１の外部の空気を吸気口から羽根筐体２１の内部に吸い込み、吸い込んだ空気を送風口２１６から羽根筐体２１の外部へ送る複数の羽根３２と、吸気口２１５から羽根筐体２１の内部に吸い込んだ空気を加熱する加熱部４と、複数の羽根３２から送られた空気を整流して加熱部４に供給する整流部６とを備える。回転軸３１の延在方向ＤＮに沿った加熱部４の位置は、回転軸３１の延在方向ＤＮに沿った複数の羽根３２の位置よりも前側である。加熱部４は、羽根筐体２１に固定された絶縁部と、絶縁部に巻き回された発熱素子とを含む。【選択図】図３
0003234751.tif 000002
【実用新案登録請求の範囲】
【請求項１】
サーキュレータであって、
前後方向に延在する回転軸と、
前記回転軸の延在方向の後側の面に設けられた吸気口と、前記回転軸の延在方向の前側の面に設けられた送風口とを含む筐体と、
前記回転軸に固定された複数の羽根であって、前記筐体の外部の空気を前記吸気口から前記筐体の内部に吸い込み、吸い込んだ空気を前記送風口から前記筐体の外部へ送る複数の羽根と、
前記吸気口から前記筐体の内部に吸い込んだ空気を加熱する加熱部と、
前記複数の羽根から送られた空気を整流して前記加熱部に供給する整流部とを備え、
前記回転軸の延在方向に沿った前記加熱部の位置は、前記回転軸の延在方向に沿った前記複数の羽根の位置よりも前側であり、
前記加熱部は、
前記筐体に固定され、前記回転軸の延在方向から見た場合に前記回転軸の周囲を取り囲む絶縁部と、
前記絶縁部に巻き回された発熱素子とを含む、サーキュレータ。
【請求項２】
前記筐体は、前記加熱部の前記回転軸の延在方向と直交する方向から前記加熱部への前記筐体の外部の空気の流入を遮断する、請求項１に記載のサーキュレータ。
【請求項３】
前記筐体に固定され、前記絶縁部を支持する支持部をさらに備えた、請求項１または２に記載のサーキュレータ。
【請求項４】
前記回転軸の延在方向から見た場合に、前記発熱素子は、前記絶縁部よりも内径側に存在する部分よりも、前記絶縁部よりも外径側に存在する部分の方が長い、請求項１〜３のいずれかに記載のサーキュレータ。
【請求項５】
前記回転軸の延在方向に沿った前記吸気口の前端部の位置は、前記回転軸の延在方向に沿った前記複数の羽根の前端の位置よりも後側に存在する、請求項１〜４のいずれかに記載のサーキュレータ。
【請求項６】
前記回転軸の延在方向に沿った前記複数の羽根の位置よりも前側の位置であって、前記加熱部よりも後側の位置に設けられた整流部をさらに備え、
前記整流部は、前記複数の羽根から送られた空気を衝突させる複数のガード部を含み、
前記複数のガード部の各々は、前記回転軸の延在方向から見た場合に円弧の形状を有する、請求項１〜５のいずれかに記載のサーキュレータ。
【考案の詳細な説明】
【技術分野】
【０００１】
本考案は、サーキュレータに関し、より特定的には、加熱部を備えたサーキュレータに関する。
【背景技術】
【０００２】
サーキュレータは、設置された空間の空気を循環させる家電製品として知られている。サーキュレータは、部屋の換気、冷房または暖房の効率化、および洗濯物の乾燥促進などの目的で使用される。
【０００３】
なお、下記特許文献１には、回転軸周りに複数の羽根を回転させることにより、外部から吸い込んだ空気をヒータで加熱し、加熱した空気を外部に送風する扇風機兼用電気ストーブが開示されている。この扇風機兼用電気ストーブは、本体の前面に配置される反射板と、この反射板と間隔を存してこの反射板の略中央部に設けられたファンと、このファンを回転駆動するモータと、ファンの外側近傍に設けられたヒータと、モータを正逆回転制御する制御部とを備えている。この扇風機兼用電気ストーブは、ヒータへの通電時には外気を中央部から吸入して外周囲から放出し、ヒータへの遮断時には外気を外周囲から吸入して中央部から放出する。
【先行技術文献】
【特許文献】
【０００４】
【特許文献１】特開２０１３−２０９７９４号公報
【考案の概要】
【考案が解決しようとする課題】
【０００５】
洗濯物の乾燥をさらに促進する方法、またはサーキュレータそのものを暖房として使用する方法として、サーキュレータに加熱部を搭載する方法が考えられる。しかし、サーキュレータに加熱部を搭載した場合には、外部から吸い込んだ空気を加熱部にて効率よく加熱することができず、送風する空気の温度が低かった。
【０００６】
本考案は、上記課題を解決するためのものであり、その目的は、外部から吸い込んだ空気を効率よく加熱することのできるサーキュレータを提供することである。
【課題を解決するための手段】
【０００７】
本考案の一の局面に従うサーキュレータは、前後方向に延在する回転軸と、回転軸の延在方向の後側の面に設けられた吸気口と、回転軸の延在方向の前側の面に設けられた送風口とを含む筐体と、回転軸に固定された複数の羽根であって、筐体の外部の空気を吸気口から筐体の内部に吸い込み、吸い込んだ空気を送風口から筐体の外部へ送る複数の羽根と、吸気口から筐体の内部に吸い込んだ空気を加熱する加熱部と、複数の羽根から送られた空気を整流して加熱部に供給する整流部とを備え、回転軸の延在方向に沿った加熱部の位置は、回転軸の延在方向に沿った複数の羽根の位置よりも前側であり、加熱部は、筐体に固定され、回転軸の延在方向から見た場合に前記回転軸の周囲を取り囲む絶縁部と、絶縁部に巻き回された発熱素子とを含む。
【０００８】
上記サーキュレータにおいて好ましくは、筐体は、加熱部の回転軸の延在方向と直交する方向から加熱部への筐体の外部の空気の流入を遮断する。
【０００９】
上記サーキュレータにおいて好ましくは、筐体に固定され、絶縁部を支持する支持部をさらに備える。
【００１０】
上記サーキュレータにおいて好ましくは、回転軸の延在方向から見た場合に、発熱素子は、絶縁部よりも内径側に存在する部分よりも、絶縁部よりも外径側に存在する部分の方が長い。
【００１１】
上記サーキュレータにおいて好ましくは、回転軸の延在方向に沿った吸気口の前端部の位置は、回転軸の延在方向に沿った複数の羽根の前端の位置よりも後側に存在する。
【００１２】
上記サーキュレータにおいて好ましくは、回転軸の延在方向に沿った複数の羽根の位置よりも前側の位置であって、加熱部よりも後側の位置に設けられた整流部をさらに備え、整流部は、複数の羽根から送られた空気を衝突させる複数のガード部を含み、複数のガード部の各々は、回転軸の延在方向から見た場合に円弧の形状を有する。
【考案の効果】
【００１３】
本考案によれば、外部から吸い込んだ空気を効率よく加熱することのできるサーキュレータを提供することができる。
【図面の簡単な説明】
【００１４】
【図１】本考案の一実施の形態におけるサーキュレータ１の構成を模式的に示す正面図である。
【図２】本考案の一実施の形態におけるサーキュレータ１の構成を模式的に示す背面図である。
【図３】羽根筐体２１などの内部の構成を示す断面図である。
【図４】羽根筐体２１などの内部の構成を示す断面斜視図である。
【図５】加熱部４および支持部５の構成を模式的に示す正面図である。
【図６】加熱部４および支持部５の構成を模式的に示す正面側の斜視図である。
【図７】加熱部４および支持部５の構成を模式的に示す側面図である。
【図８】整流部６の構成を模式的に示す正面図である。
【図９】整流部６の構成を模式的に示す正面側の斜視図である。
【図１０】本考案の一実施の形態における、吸気口２１５から送風口２１６へ向かう空気と発熱素子４２１および４２２との関係を示す図である。
【考案を実施するための形態】
【００１５】
以下、本考案の一実施の形態について、図面に基づいて説明する。なお、以降の説明においては、回転軸３１の延在方向ＤＮに沿って吸気口２１４から送風口２１６へ向かう方向を前、回転軸３１の延在方向ＤＮに沿って送風口２１６から吸気口２１４へ向かう方向を後と記している。
【００１６】
図１および図２は、本考案の一実施の形態におけるサーキュレータ１の構成を模式的に示す図である。図１は正面図であり、図２は背面図である。
【００１７】
図１および図２を参照して、サーキュレータ１（サーキュレータの一例）は、筐体２と、送風部３と、加熱部４（加熱部の一例）と、支持部５（支持部の一例）と、整流部６（整流部の一例）と、制御部７とを備えている。筐体２の内部には、送風部３、加熱部４、支持部５、整流部６、および制御部７が設けられている。
【００１８】
筐体２は、羽根筐体２１（筐体の一例）と、首部２２と、スタンド２３とを含んでいる。羽根筐体２１の内部には、送風部３、加熱部４、支持部５、および整流部６が設けられている。羽根筐体２１は、首部２２に対して矢印ＡＲ１で示すように軸ＡＸ１周りに揺動可能である。羽根筐体２１は、適切な向きに送風されるように、制御部７から供給される電力により軸ＡＸ１周りに回転されてもよいし、サーキュレータ１の使用者の手により軸ＡＸ１周りに回転されてもよい。
【００１９】
首部２２は、羽根筐体２１の下部に設けられている。首部２２は、スタンド２３と羽根筐体２１とを接続している。首部２２はスタンド２３から上方に延びている。羽根筐体２１および首部２２は、制御部７から供給される電力により、スタンド２３に対して矢印ＡＲ２で示すように軸ＡＸ２周りに揺動可能である。羽根筐体２１および首部２２がスタンド２３に対して矢印ＡＲ２で示すように軸ＡＸ２周りに揺動する機能は、首振り機能と呼ばれる。
【００２０】
スタンド２３は、首部２２の下方に設けられている。スタンド２３は、制御部７を収容している。スタンド２３の側面には操作部２３１が設けられている。操作部２３１は、サーキュレータ１の使用者の操作を受け付ける。操作部２３１は、たとえばサーキュレータ１の電源をオンおよびオフする操作、風量を調節する操作、暖房モードと衣類乾燥モードと送風モードとの間でサーキュレータ１の運転状態を切り替える操作、サーキュレータ１の電源をオンまたはオンするまでの時間を設定する操作、および羽根筐体２１の首振り機能をオンまたはオフする操作などを受け付ける。
【００２１】
制御部７は、操作部２３１で受け付けた設定または操作に基づいて、サーキュレータ１全体の動作を制御する。
【００２２】
図３は、羽根筐体２１などの内部の構成を示す断面図である。図４は、羽根筐体２１などの内部の構成を示す断面斜視図である。図３および図４は、図１のＩＩＩ−ＩＩＩ線に沿った断面を示している。
【００２３】
図１〜図４を参照して、羽根筐体２１は、内側ケース２１１と、外側ケース２１２と、接続部２１３と、吸気口２１４と、吸気口２１５（吸気口の一例）と、送風口２１６（送風口の一例）とを含んでいる。
【００２４】
内側ケース２１１は、略円筒形状を有しており、羽根筐体２１の内部の空間ＳＰ１を構成している。
【００２５】
外側ケース２１２は、略円筒形状を有しており、空間ＳＰ２を隔てて内側ケース２１１を覆っている。外側ケース２１２は首部２２と接続されている。
【００２６】
接続部２１３は、内側ケース２１１と外側ケース２１２とを接続している。外側ケース２１２は、接続部２１３を介して内側ケース２１１を固定している。
【００２７】
吸気口２１４は、内側ケース２１１の背面（回転軸３１の延在方向ＤＮの後側の面）に設けられている。吸気口２１４は、内側ケース２１１の背面から前方に延在しており、内側ケース２１１の側面（回転軸３１の延在方向ＤＮに直交する方向に存在する面）の一部にまで達している。吸気口２１４は、たとえば弧状を有する複数の孔によって構成されている。
【００２８】
吸気口２１５は、外側ケース２１２の背面（回転軸３１の延在方向ＤＮの後側の面）に設けられている。吸気口２１５は、外側ケース２１２の背面から前方に延在しており、外側ケース２１２の側面（回転軸３１の延在方向ＤＮに直交する方向に存在する面）の一部にまで達している。吸気口２１５は、たとえば弧状を有する複数の孔によって構成されている。羽根筐体２１の外部の空気は、吸気口２１５および２１４の各々をこの順序で通過して羽根筐体２１の内部に供給される。
【００２９】
吸気口２１４および２１５の各々は、内側ケース２１１および外側ケース２１２の各々の背面にのみ設けられていてもよく、内側ケース２１１および外側ケース２１２の各々の側面の一部にまで達していなくてもよい。
【００３０】
送風口２１６は、内側ケース２１１の前面（回転軸３１の延在方向ＤＮの前側の面）に設けられている。送風口２１６は、内側ケース２１１の前端側の開口を覆っている。送風口２１６は、たとえば弧状を有する複数の孔によって構成されている。
【００３１】
送風口２１６は、内側ケース２１１の前面（回転軸３１の延在方向ＤＮの前側の面）に設けられている。送風口２１６は、内側ケース２１１の前端側の開口を覆っている。送風口２１６は、たとえば弧状を有する複数の孔によって構成されている。
【００３２】
なお、吸気口２１４または２１５には、空気中の埃などが加熱部４に入り込むことを防止するフィルタが着脱可能に設けられていてもよい。
【００３３】
送風部３は、回転軸３１（回転軸の一例）と、複数の羽根３２（複数の羽根の一例）と、モータ３３と、雌ねじ３４と、スリーブ３５とを含んでいる。回転軸３１は前後方向に延在している。回転軸３１の後端はモータ３３に固定されており、回転軸３１はモータ３３から前方に突出している。
【００３４】
複数の羽根３２の各々はスリーブ３５と一体化しており、回転軸３１に固定されている。複数の羽根３２の各々はスリーブ３５から外径側に延在している。スリーブ３５は回転軸３１に固定されており、複数の羽根３２およびスリーブ３５は、回転軸３１とともに回転する。複数の羽根３２は、羽根筐体２１の外部の空気を吸気口２１４および２１５を通じて羽根筐体２１の内部に吸い込み、吸い込んだ空気を整流部６および加熱部４を介して送風口２１６から羽根筐体２１の外部へ送る。矢印ＡＲ３は、複数の羽根３２の回転による空気の流れを示している。
【００３５】
なお、吸気口２１４および２１５の各々が内側ケース２１１および外側ケース２１２の各々の側面の一部にまで達している場合、回転軸３１の延在方向ＤＮに沿った吸気口２１４および２１５の前端の位置ＰＯ１は、回転軸３１の延在方向ＤＮに沿った複数の羽根３２の前端の位置ＰＯ２よりも後側に存在している。これにより、吸気口２１４および２１５の面積を大きくしつつ、回転軸３１の延在方向ＤＮと直交する方向から加熱部４への羽根筐体２１の外部の空気の流入（矢印ＡＲ４で示すような空気の流入）を抑止することができる。
【００３６】
モータ３３は、制御部７から供給される電力により、回転軸３１を回転駆動する。
【００３７】
雌ねじ３４は、回転軸３１の先端に形成された雄ねじに対して、ねじ作用により嵌め込まれている。雌ねじ３４は、モータ３３との間でスリーブ３５を挟むことで、複数の羽根３２およびスリーブ３５の回転軸３１に沿った位置を固定する。
【００３８】
加熱部４は、吸気口２１４および２１５を通じて羽根筐体２１の内部に吸い込んだ空気を加熱する。加熱部４の位置は、回転軸３１の延在方向ＤＮに沿った複数の羽根３２およびスリーブ３５の位置よりも前側である。
【００３９】
支持部５は、整流部６を通じて羽根筐体２１に固定されている。支持部５は、加熱部４を支持する。
【００４０】
整流部６は、複数の羽根３２から送られた空気を整流して加熱部４に送る。整流部６は、回転軸３１の延在方向ＤＮから見た場合に略円形状を有しており、その外周端部が内側ケース２１１に固定されている。整流部６は、回転軸３１の延在方向ＤＮに沿った複数の羽根３２の前端の位置ＰＯ２よりも前側の位置であって、加熱部４の後端の位置ＰＯ３よりも後側の位置に設けられている。整流部６は、羽根筐体２１の内部の空間ＳＰ１を、複数の羽根３２が設けられた空間と加熱部４が設けられた空間とに区画している。整流部６は、空気を通過させるための孔として、たとえば弧状を有する複数の孔を含んでいる。
【００４１】
制御部７は、設定されたモードに応じてサーキュレータ１の運転状態を次のように制御してもよい。
【００４２】
暖房モードは、比較的高温の少量の空気を送風するモードである。サーキュレータ１の運転状態が暖房モードに設定された場合には、制御部７は、複数の羽根３２の回転速度を第１の速度（低速）にすることで、送風部３の送風量を少量に制御する。制御部７は、加熱部４に電力を供給することで加熱部４による加熱を行う。その結果、送風口２１６からは比較的高温で比較的少量の空気が送風される。
【００４３】
衣類乾燥モードとは、比較的低温の多量の空気を送風するモードである。サーキュレータ１の運転状態が衣類乾燥モードに設定された場合には、制御部７は、複数の羽根３２の回転速度を第１の速度よりも速い第２の速度（高速）にすることで、送風部３の送風量を多量に制御する。制御部７は、加熱部４に電力を供給することで加熱部４による加熱を行う。衣類乾燥モードの場合には、その結果、送風口２１６からは比較的低温（室温よりも高温）で比較的多量の空気が送風される。
【００４４】
送風モードとは、室温の空気を送風するモードである。サーキュレータ１の運転状態が送風モードに設定された場合には、制御部７は、送風部３の送風量を設定された量に制御する。制御部７は、加熱部４への電力の供給を停止する。その結果、送風口２１６からは吸気口２１５から吸い込まれた室温の空気がそのまま送風される。
【００４５】
図５〜図７は、加熱部４および支持部５の構成を模式的に示す図である。図５は正面図であり、図６は正面側の斜視図であり、図７は側面図である。なお図５および図６では、絶縁部４１１および４１２の各々よりも内径側に存在する発熱素子４２１および４２２の各々の部分の図示が省略されている。
【００４６】
図３〜図７を参照して、加熱部４は、絶縁部４１１および４１２（第１および第２の絶縁部の一例）と、発熱素子４２１および４２２（第１および第２の発熱素子の一例）とを含んでいる。
【００４７】
絶縁部４１１および４１２の各々は、絶縁体よりなっており、支持部５に支持されており、支持部５を介して羽根筐体２１に固定されている。絶縁部４１１および４１２の各々は、発熱素子４２１および４２２の各々を筐体２から絶縁した状態で保持する。絶縁部４１１および４１２の各々は、回転軸３１の延在方向ＤＮから見た場合に、たとえば環状を有しており、回転軸３１の周囲を取り囲んでいる。絶縁部４１２は、回転軸３１の延在方向ＤＮに沿った絶縁部４１１の位置よりも後側の位置において、回転軸３１の周囲を取り囲んでいる。絶縁部４１１および４１２の各々の延在方向は、回転軸３１の延在方向ＤＮと直交している。
【００４８】
発熱素子４２１および４２１の各々は、導線であり、絶縁部４１１および４１２の各々に螺旋状に巻き回されている。制御部７が供給する電力により発熱素子４２１および４２２の各々には電流が流れる。これにより、発熱素子４２１および４２２の各々は発熱し、羽根筐体２１の内部の空気を加熱する。発熱素子４２１および４２２の各々は、たとえばニクロム線よりなっている。発熱素子４２１は、固定位置４２３で絶縁部４１１を前後方向から挟み込むことにより、絶縁部４１１に固定されている。発熱素子４２２は、固定位置４２４で絶縁部４１２を前後方向から挟み込むことにより、絶縁部４１２に固定されている。
【００４９】
回転軸３１の延在方向ＤＮから見た場合に、固定位置４２３および４２４の各々は、発熱素子４２１および４２２の各々における径方向の中央部分よりも内径側に設けられている。言い換えれば、絶縁部４１１および４１２の各々よりも内径側に存在する発熱素子４２１および４２２の各々の部分よりも、絶縁部４１１および４１２の各々よりも外径側に存在する発熱素子４２１および４２２の各々の部分の方が長くなっている。これにより、絶縁部４１１および４１２の各々の外径側の空間に発熱素子４２１および４２２の各々が突出するので、吸気口２１４から送風口２１６へ向かう空気の大部分が発熱素子４２１および４２２を通過するようになる。その結果、羽根筐体２１の内部において空気を効率的に加熱することができる。
【００５０】
なお、図３に示されているように、加熱部４の外径側端部（回転軸３１の延在方向ＤＮと直交する方向の端部）は、内側ケース２１１および外側ケース２１２によって覆われている。加熱部４の外径側端部を覆う内側ケース２１１および外側ケース２１２の部分には、孔が形成されていない。これにより、回転軸３１の延在方向ＤＮと直交する方向から加熱部４への羽根筐体２１の外部の空気の流入（矢印ＡＲ４で示すような空気の流入）は、内側ケース２１１および外側ケース２１２によって遮断される。
【００５１】
支持部５は、後部５１と、腕部５２と、前部５３とを含んでいる。後部５１は、板状であり、図示しないネジなどを用いて整流部６に固定されている。このように、支持部５は、整流部６を通じて羽根筐体２１に固定されている。後部５１は、加熱部４よりも後側に位置している。回転軸３１の延在方向ＤＮから見た場合に、後部５１は、たとえば六角形状を有している。
【００５２】
腕部５２は、ここでは６個である。６個の腕部５２の各々は、後部５１から前方に突出している。６個の腕部５２の各々は、回転軸３１の延在方向ＤＮに対して平行に突出している。６個の腕部５２の各々は、絶縁部４１１および４１２の各々の内径側から絶縁部４１１および４１２の各々を支持している。
【００５３】
前部５３は、正面から見た場合に環状を有しており、６つの腕部５２の各々の前端に接続されている。
【００５４】
図８および図９は、整流部６の構成を模式的に示す図である。図８は正面図であり、図９は正面側の斜視図である。
【００５５】
図３、図４、図８、および図９を参照して、整流部６は、内径部６１と、複数のガード部６２（複数のガード部の一例）と、外径部６３とを含んでいる。内径部６１は、正面から見た場合に回転軸３１と重なる位置に設けられている。内径部６１には支持部５の後部５１が固定される。
【００５６】
複数のガード部６２の各々は、内径部６１から放射状に延在しており、内径部６１と外径部６３とを接続している。複数のガード部６２の各々は、回転軸３１の延在方向ＤＮから見た場合に円弧の形状を有しており、内径部６１から離れるに従って隣接するガード部６２同士の間隔が広がっている。複数のガード部６２の各々は、複数の羽根３２から送られた空気を衝突させる役割を果たし、空気を通過させるための複数の孔６４を形成する。
【００５７】
外径部６３は、環状を有しており、内径部６１の外周を取り囲んでいる。外径部６３は、整流部６の外径側端部を構成しており、羽根筐体２１に固定されている。
【００５８】
複数の羽根３２から送られる空気は、回転しているため、遠心力により外径方向（正面から見た場合の回転軸３１の位置から離れる方向）に拡散しやすい。回転軸３１の延在方向ＤＮから見た場合に円弧の形状を有する複数のガード部６２を含む整流部６を設けることで、複数の羽根３２から送られる空気がガード部６２の各々に衝突し、正面から見た場合の回転軸３１の位置の付近に渦を巻く形で滞留する。複数の羽根３２から送られる空気の外径方向への拡散が抑制される。その結果、複数の羽根３２から加熱部４に送る空気が中心付近（正面から見た場合の回転軸３１付近）に集中し、加熱部４を通過しやすくなり、外部から吸い込んだ空気を効率よく加熱することができる。
【００５９】
［実施の形態の効果］
【００６０】
図１０は、本考案の一実施の形態における、吸気口２１５から送風口２１６へ向かう空気と発熱素子４２１および４２２との関係を示す図である。
【００６１】
図１０を参照して、本実施の形態においては、矢印ＡＲ３で示すように、羽根筐体２１の外部の空気は、複数の羽根３２の回転により、吸気口２１５および２１４を通じて羽根筐体２１の内部に吸い込まれ、複数の羽根３２、整流部６、および加熱部４をこの順序で通過し、送風口２１６から羽根筐体２１の外部へ送られる。複数の羽根３２から送られた空気は、整流部６を通過する際に整流され、加熱部４を通過する際に加熱される。加熱された空気は直ちに送風口２１６から羽根筐体２１の外部に送られる。これにより、加熱部４を通過後の高温の空気の熱が複数の羽根３２により奪われる事態を回避することができ、外部から吸い込んだ空気を効率よく加熱することができる。
【００６２】
加えて、本実施の形態においては、回転軸３１の延在方向に並べられた２つの発熱素子４２１および４２２の各々が、回転軸３１の周囲を取り囲む絶縁部４１１および４１２の各々に巻き回されている。これにより、吸気口２１５から送風口２１６へ向かう空気（矢印ＡＲ３で示す方向に流通する空気）の多くが４本の発熱素子４２２ａ、４２２ｂ、４２１ａ、および４２１ｂをこの順序で通過する。その結果、外部から吸い込んだ空気を効率よく加熱することができる。
【００６３】
［その他］
【００６４】
加熱部は、筐体に固定され、回転軸の周囲を取り囲む１つのみの絶縁部と、絶縁部に巻き回された１つのみの発熱素子とを含むものであってもよい。整流部は省略されてもよい。
【００６５】
上述の実施の形態および変形例は、すべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００６６】
１  サーキュレータ（サーキュレータの一例）
２  筐体
３  送風部
４  加熱部（加熱部の一例）
５  支持部（支持部の一例）
６  整流部（整流部の一例）
７  制御部
２１  筐体の羽根筐体（筐体の一例）
２２  筐体の首部
２３  筐体のスタンド
３１  送風部の回転軸（回転軸の一例）
３２  送風部の羽根（複数の羽根の一例）
３３  送風部のモータ
３４  送風部の雌ねじ
３５  送風部のスリーブ
５１  支持部の後部
５２  支持部の腕部
５３  支持部の前部
６１  整流部の内径部
６２  整流部のガード部（複数のガード部の一例）
６３  整流部の外径部
６４  整流部の孔
２１１  羽根筐体の内側ケース
２１２  羽根筐体の外側ケース
２１３  羽根筐体の接続部
２１４，２１５  羽根筐体の吸気口（吸気口の一例）
２１６  送風口（送風口の一例）
２３１  スタンドの操作部
４１１，４１２  加熱部の絶縁部（第１および第２の絶縁部の一例）
４２１，４２２，４２１ａ，４２１ｂ，４２２ａ，４２２ｂ  加熱部の発熱素子（第１および第２の発熱素子の一例）
４２３，４２４  発熱素子の固定位置
ＳＰ１，ＳＰ２  空間
【図１】
0003234751.tif 000003
【図２】
0003234751.tif 000004
【図３】
0003234751.tif 000005
【図４】
0003234751.tif 000006
【図５】
0003234751.tif 000007
【図６】
0003234751.tif 000008
【図７】
0003234751.tif 000009
【図８】
0003234751.tif 000010
【図９】
0003234751.tif 000011
【図１０】
0003234751.tif 000012